(57)【要約】  複数の太陽電池セル２０２と、接着層２０６を介して複数の太陽電池セル２０２間を接続する接続部材２０４と、を備え、接続部材２０４の長手方向の端部において太陽電池セル２０２の中央部よりも接着層２０６と接続部材２０４との接触長さが長い接着部分を有する太陽電池モジュールとする。
2014002269.tif 000002
【特許請求の範囲】
【請求項１】
複数の太陽電池と、
接着層を介して前記複数の太陽電池間を接続する接続部材と、
を備え、
前記接続部材の長手方向に沿って前記太陽電池の中央部よりも端部において前記接着層と前記接続部材との接触長さが長い接着部分を有する、太陽電池モジュール。
【請求項２】
請求項１に記載の太陽電池モジュールであって、
前記接着部分において、前記接続部材の側面と前記接着層とが接触するフィレットを有する、太陽電池モジュール。
【請求項３】
請求項１又は２に記載の太陽電池モジュールであって、
前記太陽電池における前記接続部材を引き出す側の前記太陽電池の端部において前記太陽電池の中央部よりも前記接着層と前記接続部材との接触長さが長い接着部分を有する、太陽電池モジュール。
【請求項４】
複数の太陽電池に接着層となる接着剤を塗布する第１の工程と、
前記接着層を介して前記複数の太陽電池間を接続部材によって接続する第２の工程と、
を備え、
前記接続部材の長手方向に沿って前記太陽電池の中央部よりも端部において前記接着層と前記接続部材との接触長さが長い接着部分を設ける、太陽電池モジュールの製造方法。
【請求項５】
請求項４に記載の太陽電池モジュールの製造方法であって、
前記第１の工程では、前記接続部材の長手方向に沿って前記太陽電池の中央部よりも端部において前記接着剤をより多く塗布する、太陽電池モジュールの製造方法。
【発明の詳細な説明】
【技術分野】
【０００１】
本発明は、太陽電池モジュール及び太陽電池モジュールの製造方法に関する。
【背景技術】
【０００２】
太陽電池モジュール１００は、図７に示すように、複数の太陽電池セル１０に設けられた集電極１２を互いに接続部材１４で接続した構成を有する。接続部材１４は、導電性粒子を分散させた導電性接着フィルムによって集電極１２と導通するように接着される（特許文献１参照）。
【先行技術文献】
【特許文献】
【０００３】
【特許文献１】特開２０１１−１０８９８５号公報
【発明の概要】
【発明が解決しようとする課題】
【０００４】
ところで、太陽電池セル１０と接続部材１４との接着力が低下すると、接続部材１４が剥がれてしまうおそれがある。一方、接着力を強めるために接着剤の量を多くし過ぎると、接続部材１４から接着剤がはみ出し、はみ出した接着剤によって太陽電池セル１０が遮光されて変換効率が低下するおそれがある。
【課題を解決するための手段】
【０００５】
本発明の１つの態様は、複数の太陽電池と、接着層を介して複数の太陽電池間を接続する接続部材と、を備え、接続部材の長手方向に沿って太陽電池の中央部よりも端部において接着層と接続部材との接触長さが長い接着部分を有する、太陽電池モジュールである。【０００６】
本発明の別の態様は、複数の太陽電池に接着層となる接着剤を塗布する第１の工程と、接着層を介して複数の太陽電池間を接続部材によって接続する第２の工程と、を備え、接続部材の長手方向に沿って太陽電池の中央部よりも端部において接着層と接続部材との接触長さが長い接着部分を設ける、太陽電池モジュールの製造方法である。
【発明の効果】
【０００７】
本発明によれば、太陽電池モジュールにおける接続部材との接触を高めると共に、遮光損失を低減することができる。
【図面の簡単な説明】
【０００８】
【図１】本発明の実施の形態における太陽電池モジュールを示す平面図である。
【図２】本発明の実施の形態における太陽電池モジュールを示す断面図である。
【図３】本発明の実施の形態における太陽電池モジュールを示す断面図である。
【図４】本発明の実施の形態における表面に凹凸が設けられた接合部材を示す断面図である。
【図５】本発明の実施の形態における太陽電池モジュールにおける接着層を示す平面図である。
【図６】本発明の実施の形態における太陽電池モジュールを示す断面図である。
【図７】従来の太陽電池モジュールを示す平面図である。
【発明を実施するための形態】
【０００９】
本発明の実施の形態における太陽電池モジュール２００は、図１の平面図並びに図２及び図３の断面図に示すように、太陽電池セル２０２、接続部材２０４及び接着層２０６を含んで構成される。図１は、太陽電池モジュール２００を受光面からみた平面図である。図２は、図１のラインＡ−Ａに沿った断面図であり、図３は、図１のラインＢ−Ｂに沿った断面図である。
【００１０】
なお、「受光面」とは、太陽電池セル２０２の主面の一つであり、外部からの光が主に入射する面を意味する。例えば、太陽電池セル２０２に入射する光のうち５０％〜１００％が受光面側から入射する。「裏面」とは、太陽電池セル２０２の主面の一つであり、受光面と反対側の面を意味する。
【００１１】
太陽電池セル２０２は、太陽光等の光を受光することでキャリア（電子及び正孔）を生成する光電変換部２０ａと、光電変換部２０ａの受光面上に設けられた第１電極２０ｂと、光電変換部２０ａの裏面上に設けられた第２電極２０ｃとを備える。第１電極２０ｂは、図１に示すように、接続部材２０４の延設方向と交差するように櫛状に設けられたフィンガー及びそれを接続するバスバーを備える集電極である。フィンガーは、光電変換部２０ａから電力を集電する細線状の電極である。バスバーは、複数のフィンガーを接続する電極であり、接続部材２０４に被われるように所定の間隔をあけて互いに平行に配置される。フィンガー及びバスバーは、例えば、バインダー樹脂中に銀（Ａｇ）等の導電性フィラーが分散した導電性ペーストを透明導電層上に所望のパターンでスクリーン印刷して形成される。第２電極２０ｃは、光電変換部２０ａの裏面側に第１電極２０ｂと同様に設けられる。太陽電池セル２０２では、光電変換部２０ａで生成されたキャリアが第１電極２０ｂ及び第２電極２０ｃにより収集される。
【００１２】
なお、太陽電池セル２０２では、裏面は受光面に比べて光の入射が少ないので、受光面の第１電極２０ｂに比べて裏面の第２電極２０ｃの面積を広くしてもよい。例えば、第２電極２０ｃは第１電極２０ｂに比べてフィンガーの本数が多くしてもよい。また、太陽電池セル２０２の裏面側からの光の入射がない場合、光電変換部２０ａの裏面の略全面上に銀（Ａｇ）薄膜等の金属膜を形成して第２電極２０ｃとしてもよい。
【００１３】
光電変換部２０ａは、例えば、結晶系シリコン、ガリウム砒素（ＧａＡｓ）又はインジウム燐（ＩｎＰ）等の半導体材料からなる基板を有する。光電変換部２０ａの構造は、特に限定されないが、本実施形態では、ｎ型単結晶シリコン基板と非晶質シリコンのヘテロ接合を有する構造であるとして説明する。光電変換部２０ａは、例えば、ｎ型単結晶シリコン基板の受光面上に、ｉ型非晶質シリコン層、ボロン（Ｂ）等がドープされたｐ型非晶質シリコン層、酸化インジウム等の透光性導電酸化物からなる透明導電層の順番で積層されている。また、基板の裏面上に、ｉ型非晶質シリコン層、リン（Ｐ）等がドープされたｎ型非晶質シリコン層、透明導電層の順番で積層されている。
【００１４】
太陽電池モジュール２００において隣り合う太陽電池セル２０２間は導電性の接続部材２０４によって接続される。接続部材２０４としては、例えば、銅等の金属箔を用いることができる。接続部材２０４は、太陽電池セル２０２の第１電極２０ｂと、隣り合う太陽電池セル２０２の第２電極２０ｃとを接続する。接続部材２０４は、例えば、一方の太陽電池セル２０２の第１電極２０ｂのバスバー及びフィンガーと他方の太陽電池セル２０２の第２電極２０ｃのバスバー及びフィンガーとに接着層２０６により接着される。
【００１５】
接着層２０６は、例えば、エポキシ樹脂やアクリル樹脂、ウレタン樹脂等の接着性の熱硬化性樹脂材料に導電性粒子を分散させた導電性接着フィルムや導電性接着ペーストとすることができる。導電性接着フィルムは、太陽電池セル２０２の面内方向に導電性が高く、膜厚方向に導電性が低い異方導電性接着剤としてもよい。また、エポキシ樹脂やアクリル樹脂、ウレタン樹脂等の接着性の熱硬化型樹脂材料に導電性粒子を含まない非導電性ペーストを用いてもよい。この場合、図４に示すように、第１電極２０ｂ及び第２電極２０ｃ並びに接続部材２０４のいずれかに凹凸２０４ａを設けて、凹凸２０４ａを介して第１電極２０ｂ及び第２電極２０ｃと接続部材２０４とが電気的に接続されるようにしてもよい。
【００１６】
接続部材２０４は、太陽電池セル２０２の厚さ分だけ段差が設けられた屈曲部を有する。屈曲部は、隣り合う太陽電池セル２０２が同一平面内に配置されるように第１電極２０ｂと第２電極２０ｃとを接続するために太陽電池セル２０２の厚さ分だけ構造的な逃げが形成されるように設けられる。
【００１７】
太陽電池モジュール２００は、太陽電池セル２０２の受光面及び裏面を保護するために保護部材（図示しない）で封止されてもよい。保護部材は、例えば、ガラス板、樹脂板、樹脂フィルム等の透光性を有する部材を用いることができる。なお、太陽電池セル２０２の受光面側に設けられる保護部材は、太陽電池セル２０２において光電変換に利用される波長帯域の光を透過する透明な部材とすることが好ましい。太陽電池セル２０２の裏面側からの光の入射がない場合、裏面側に設けられる保護部材は、不透明な板体やフィルムとしてもよい。この場合、保護部材としては、例えば、アルミ箔等を内部に有する樹脂フィルム等の積層フィルムを用いてもよい。保護部材は、充填材を用いて太陽電池セル２０２の受光面及び裏面にそれぞれ接着される。
【００１８】
本実施の形態における太陽電池モジュール２００では、接続部材２０４の長手方向に沿って太陽電池セル２０２の端部と中央部とにおいて接着層２０６と接続部材２０４との接触長さを異ならせる。すなわち、図２及び図３に示すように、接続部材２０４の長手方向に沿って太陽電池セル２０２の端部において中央部よりも接着層２０６と接続部材２０４との接触長さが長い接着部分を有するようにする。
【００１９】
ここで、接着層２０６と接続部材２０４との接触長さとは、図２及び図３に示すように、接続部材２０４の長手方向に垂直な断面において接着層２０６と接続部材２０４とが接触している長さを意味する。また、太陽電池セル２０２の端部及び中央部は、互いの相対的な位置関係を示し、端部は中央部よりも太陽電池セル２０２の端（エッジ）に近い領域を意味する。すなわち、本実施の形態では、接続部材２０４のある領域に着目すると、その着目した領域より太陽電池セル２０２の端に近い領域における接着層２０６と接続部材２０４との接触長さが着目した領域より長い部分を有する。
【００２０】
例えば、図５に示すように、接続部材２０４（破線で示す）の長手方向に沿って、太陽電池セル２０２の端部において接着層２０６の幅が広く、中央部において接着層２０６の幅が狭くなるように接着層２０６を塗布すればよい。このとき、接続部材２０４の端部のみならず、隣り合う太陽電池セル２０２へ向けて接続部材２０４を引き出す側の太陽電池セル２０２の端部においても太陽電池セル２０２の中央部よりも接着層２０６と接続部材２０４との接触長さが長い接着部分を設けるとよい。
【００２１】
なお、接続部材２０４の長手方向に沿って接続部材２０４と接着層２０６との接触長さを変えるには、接着層２０６となる接着剤を塗布する際に接続部材２０４の長手方向に沿って接着層２０６となる接着剤の塗布量を変化させればよい。例えば、接続部材２０４の長手方向の太陽電池セル２０２の端部において中央部よりも接着剤をより多く塗布し、その後、接続部材２０４を圧着すればよい。接着剤の塗布量を変化させるには、ディスペンサの移動速度を接続部材２０４の長手方向に沿って変化させる、ディスペンサから接着剤の吐出圧力を接続部材２０４の長手方向に沿って変化させる等の方法が挙げられる。
【００２２】
一般的に太陽電池セル２０２の端に近い領域が接続部材２０４と第１電極２０ｂとの接着が剥がれやすい領域であるので、太陽電池セル２０２の端部において中央部より接触長さを長くすることによって剥がれを効果的に抑制することができる。また、接続部材２０４と第２電極２０ｃとの関係においても同様である。一方、中央部においては端部より接触長さが短くされるので、中央部において接続部材２０４からの接着層２０６のはみ出しを抑制することができ、接着層２０６による遮光損失を抑制することができる。
【００２３】
なお、図６の断面図に示すように、太陽電池セル２０２の端部において接続部材２０４と第１電極２０ｂとの接触部分に接着層２０６のフィレット２２が形成されるようにするとよい。フィレット２２とは、接着層２０６の一部が接続部材２０４の側面に接触する部分を意味する。フィレット２２を設けることによって、太陽電池セル２０２の端部における接続部材２０４と第１電極２０ｂとの接触がより強固となり、接続部材２０４が剥がれにくくなる効果が顕著となる。なお、接続部材２０４と第２電極２０ｃとの関係においても同様である。
【符号の説明】
【００２４】
１０  太陽電池セル、１２  集電極、１４  接続部材、２０ａ  光電変換部、２０ａ  太陽電池セル、２０ｂ  第１電極、２０ｃ  第２電極、２２  フィレット、１００，２００  太陽電池モジュール、２０２  太陽電池セル、２０４  接続部材、２０６  接着層。
【図１】
2014002269.tif 000003
【図２】
2014002269.tif 000004
【図３】
2014002269.tif 000005
【図４】
2014002269.tif 000006
【図５】
2014002269.tif 000007
【図６】
2014002269.tif 000008
【図７】
2014002269.tif 000009
【国際調査報告】
2014002269.tif 000010
2014002269.tif 000011